(57)【特許請求の範囲】
【請求項１】
一端側に開口部を有したフード部が設けられ、該フード部の奥端に複数の第１端子金具を収容する第１コネクタハウジングを備えた第１コネクタと、
前記第１コネクタと嵌合する第２コネクタとを備えたコネクタであって、
前記第２コネクタは、
前記フード部内に収容される第２コネクタハウジングと、
前記第２コネクタハウジング内に収容され、前記複数の第１端子金具と接続可能で、電線が接続された複数の第２端子金具と、
前記第２コネクタハウジングの後方側において、前記電線の外周面と前記フード部の内周面との間をシールするゴム栓と、
前記第１コネクタハウジングの外面に設けられた係合突起に係合して、前記フード部に取り付けられることで、前記第２コネクタハウジング及び前記ゴム栓を前記フード部内に抜け止めするホルダとを備え、
前記ホルダは、前記複数の第２端子金具を挿通可能な複数の端子挿通孔と、前記係合突起に係合可能な係合孔が設けられたロックアームと、を有しており、
前記ロックアームは、前記ホルダから前記複数の端子挿通孔の並び方向と直交する方向に突出する基端部と、前記基端部の突出端部から前記第２コネクタハウジング側に突出する腕部と、を備え、
前記フード部の開口端部には、前記係合突起に向かって凹むように切り欠かれた切欠き部が設けられており、
前記ロックアームの前記基端部は、前記切欠き部内に収容されているコネクタ。
【請求項２】
前記ホルダには、前記第２コネクタハウジング側に突出する突出部が設けられており、
前記ゴム栓には前記突出部を挿通可能な挿通孔が設けられており、
前記第２コネクタハウジングには、前記突出部の先端部に設けられた係合爪を係合可能な係合部が設けられている請求項１に記載のコネクタ。
【請求項３】
前記第１コネクタハウジングは、機器に設けられた取付孔に内嵌される円柱状の嵌合部を備えており、
前記フード部は、前記取付孔を挿通し、かつ断面視オーバル状となっており、
前記係合突起は、前記フード部の短軸方向に突出するように設けられている請求項１または請求項２に記載のコネクタ。
【発明の詳細な説明】
【技術分野】
【０００１】
本発明は、コネクタに関する。
【背景技術】
【０００２】
ケース内に貯留された潤滑油内に金属粉や金属片などの異物が浮遊する環境でコネクタを用いることがある。このような環境で用いられるコネクタの一例として、特開２０１４−１７０８５号公報（下記特許文献１）に記載のコネクタがある。このコネクタは、雌側ハウジングに設けられたロックアームを雄側ハウジングのフード部に設けられたロック孔に係止することで、両ハウジングの嵌合状態を保持している。このコネクタでは、フード部にロック孔が設けられているため、ロック孔からフード部内に異物が侵入して端子金具間が短絡する虞がある。そこで、このコネクタでは、端子金具間の短絡を防ぐために、嵌合面に異物侵入防止用の凹凸形状を設けている。
【先行技術文献】
【特許文献】
【０００３】
【特許文献１】特開２０１４−１７０８５号公報
【発明の概要】
【発明が解決しようとする課題】
【０００４】
特開２０１４−１７０８５号公報（上記特許文献１）に記載のコネクタでは、凹凸形状によって端子金具間の沿面距離を伸ばすことで侵入した異物による短絡を防ぐ構造になっているが、異物の侵入自体を防止することはできない。そのため、改善の余地が残されている。
【０００５】
そこで、このような異物の侵入を防ぐためにコネクタを防水化（液密化）することが考えられる。一般的な防水コネクタでは、雄側ハウジングのフード部に雌側ハウジングのフード部を重ねあわせ、これらのフード部の間に防水ゴムを配することで両ハウジングの間をシールする。しかしながら、このような防水コネクタでは、フード部とフード部を重ねあわせて、その間に防水ゴムを配するために、コネクタハウジングが幅方向（径方向）に大きくなる。
【課題を解決するための手段】
【０００６】
本明細書で開示されるコネクタは、一端側に開口部を有したフード部が設けられ、該フード部の奥端に第１端子金具を収容する第１コネクタハウジングを備えた第１コネクタと、前記第１コネクタと嵌合する第２コネクタとを備えたコネクタであって、前記第２コネクタは、前記フード部内に収容される第２コネクタハウジングと、前記第２コネクタハウジング内に収容され、前記第１端子金具と接続可能で、電線が接続された第２端子金具と、前記第２コネクタハウジングの後方側において、前記電線の外周面と前記フード部の内周面との間をシールするゴム栓と、前記第１コネクタハウジングの外面に設けられた係合突起に係合して、前記フード部に取り付けられることで、前記第２コネクタハウジング及び前記ゴム栓を前記フード部内に抜け止めするホルダとを備えた。
【０００７】
このような構成によると、第２コネクタハウジングが第１コネクタハウジングのフード部内に収容されて、第２コネクタハウジングの後方側をゴム栓でシールし、ホルダが第２コネクタハウジングとゴム栓を抜け止めしている。そのため、ゴム栓によってフード部の第２コネクタハウジング側へ異物の侵入を防止することができるため、端子間の短絡を防止することができる。また、第１コネクタハウジングの外面に設けられた係合突起にホルダが係合することでホルダがフード部に取り付けられているため、第１コネクタハウジングのフード部に係止用の孔を設けておらずゴム栓によるシールが確保しやすくなる。さらに一般的な防水コネクタと異なり、フード部の上にフード部を重ねあわせていないため、幅方向（径方向）に大きくなることを抑制できる。
【０００８】
本明細書に開示されるコネクタの実施の態様として、以下の構成としても良い。
前記ホルダには、前記第２コネクタハウジング側に突出する突出部が設けられており、前記ゴム栓には前記突出部を挿通可能な挿通孔が設けられており、前記第２コネクタハウジングには、前記突出部の先端部に設けられた係合爪を係合可能な係合部が設けられている構成としても良い。
【０００９】
このような構成では、突出部を挿通孔に挿通して、その係合爪を第２コネクタハウジングの係合部に係合できる。そのため、第２コネクタの第２コネクタハウジングとゴム栓とホルダを予め組み合わせた状態で、第１コネクタに嵌合することができ、別々にフード部内に配置するのに比べて作業が容易になる。
【００１０】
また、前記第１コネクタハウジングは、機器に設けられた取付孔に内嵌される円柱状の嵌合部を備えており、前記フード部は、前記取付孔を挿通し、かつ断面視オーバル状となっており、前記係合突起は、前記フード部の短軸方向に突出するように設けられており、前記第２コネクタの前記ホルダには、前記係合突起に係合可能な係合孔が設けられたロックアームが設けられている構成としても良い。
【００１１】
このような構成では、筐体の取付孔にフード部を挿通した後、嵌合部を取付孔に内嵌する。そのため、フード部の外形寸法が小さくなると、嵌合部の外径寸法を小さくでき、取付孔の大きさも小さくできる。また、フード部の短軸方向に係合突起が突出し、係合突起に係合するようにロックアームがフード部に重ねられることで、フード部全体の最大外径寸法を小さくすることができる。つまり、嵌合部及び取付孔の寸法も小さくすることができる。
【発明の効果】
【００１２】
本明細書に開示されたコネクタによれば、嵌合面に異物が侵入するのを抑制することができる。
【図面の簡単な説明】
【００１３】
【図１】実施形態におけるコネクタの斜視図
【図２】コネクタの正面図
【図３】コネクタの平面図
【図４】図２におけるＩＶ−ＩＶ位置における断面図
【図５】雌コネクタの正面図
【図６】雌コネクタの背面図
【図７】雌コネクタの側面図
【図８】雌コネクタの平面図
【図９】図５におけるＩＸ−ＩＸ位置における断面図
【図１０】雌コネクタハウジングの正面図
【図１１】雌コネクタハウジングの側面図
【図１２】一括ゴム栓の正面図
【図１３】リアホルダの正面図
【図１４】リアホルダの側面図
【図１５】リアホルダの平面図
【図１６】雌コネクタを組み立てる前の状態のコネクタの斜視図
【図１７】雌コネクタを組み立て途中のコネクタの斜視図
【図１８】雌コネクタを組み立てた状態でのコネクタの斜視図
【発明を実施するための形態】
【００１４】
＜実施形態＞
実施形態について図１から図１８を参照して説明する。
本実施形態のコネクタ１０は、図１及び図３に示すように、自動車のオートマチックトランスミッション等の機器のケースＣに固定される中継コネクタ１１（「第１コネクタ」の一例）と、中継コネクタ１１の一端に嵌合する雌コネクタ１５（「第２コネクタ」の一例）とを備えている。中継コネクタ１１がケースＣの丸孔形状の取付孔Ｃ１に内嵌すると、中継コネクタ１１の雌コネクタ１５が嵌合される側は、鉄粉等の異物が浮遊した潤滑油内に配され、他端側がケースＣの外側に配される。なお、以下の説明において、前後方向については、図３の左側（雌コネクタ１５の嵌合方向）を前側とし、図３の右側を後側とする。また、上下方向については、図３を基準とし、図３の上側を上側、図３の下側を下側とする。
【００１５】
中継コネクタ１１は、図３及び図４に示すように、中継端子金具１３（「第１端子金具」の一例）と中継コネクタハウジング２０（「第１コネクタハウジング」の一例）とを備えている。中継端子金具１３は、導電性の金属からなる角柱状のバスバーであって、中央部分が中継コネクタハウジング２０にインサート成形によって埋め込まれている一方で、両端部が後記する中継コネクタハウジング２０の各フード部２１、２３に突出する。
【００１６】
中継コネクタハウジング２０は、合成樹脂製であって、図３及び図４に示すように、前方及び後方に開口した形状とされている。中継コネクタハウジング２０は、ケースＣの外側に配される外側フード部２１と、ケースＣの内側に配される内側フード部２３（「フード部」の一例）と、両フード部２１、２３の間に位置してケースＣの取付孔Ｃ１に内嵌される嵌合部３１とを備えている。
【００１７】
嵌合部３１は、図１及び図３に示すように、円柱形状をなしており、その外周面には、嵌合部３１がケースＣの取付孔Ｃ１に内嵌された際に、嵌合部３１と取付孔Ｃ１との間をシールするゴムリング３３が装着されている。また、嵌合部３１の後端部には、嵌合部３１から側方に張り出した取付片３５が設けられている。取付片３５には、前後方向に貫通するボルト挿通孔３５Ａが設けられており、このボルト挿通孔３５Ａにボルトを挿通させてケースＣに締め付けることで、中継コネクタハウジング２０がケースＣに固定されるようになっている。
【００１８】
外側フード部２１は、図２及び図４に示すように、前方に開口しており、外側フード部２１の奥端面からは、中継端子金具１３が前方に向かって突出している。また、外側フード部２１の奥端部から嵌合部３１に亘って凹部２１Ａが設けられている。そして、この凹部２１Ａにポッティング剤が流入して固められることで、中継端子金具１３を伝って油がケースＣの外側に出ることを抑制している。
【００１９】
内側フード部２３は、図１及び図４に示すように、後方に開口した開口部２３Ａを有している。内側フード部２３の雌コネクタ１５を内嵌するための凹みは、嵌合部３１に亘っており、嵌合部３１には内側フード部２３と連通する嵌合凹部３１Ａが設けられている。内側フード部２３及び嵌合部３１の嵌合凹部３１Ａの内周面の形状は、雌コネクタ１５の外周面の形状に沿っており、奥側（前方）が最も上下方向の寸法が小さい段差形状となっている。そして、内側フード部２３の奥端面（前端面）からは、中継端子金具１３が後方に向かって突出している。
【００２０】
また、内側フード部２３は、その外形形状が断面視（背面視）オーバル状となっており、上下方向が幅方向に比べて短い短軸方向となっている。そして、内側フード部２３の両側面２３Ｂは、曲面となっており、嵌合部３１の外面形状に沿って面一となっている。また、内側フード部２３の上下面２３Ｃは、平面となっている。そして、内側フード部２３の上下面２３Ｃには、それぞれ上下方向に突出する係合突起２５が設けられている。また、内側フード部２３の上下面２３Ｃの後端部には、前方に向かって凹むように切り欠かれた切欠き部２７が設けられている。
【００２１】
雌コネクタ１５は、図５及び図７に示すように、雌端子金具１７（「第２端子金具」の一例、図１６参照）と、雌コネクタハウジング４０（「第２コネクタハウジング」の一例）と、一括ゴム栓６０（「ゴム栓」の一例）と、リアホルダ７０（「ホルダ」の一例）とを備えている。雌端子金具１７は、図４及び図１６に示すように、導電性の金属板材をプレス加工することで形成されており、前後方向に開口する角筒状の接続部１７Ａと、接続部１７Ａの後方に設けられた電線圧着部１７Ｂとを備えている。接続部１７Ａには、中継端子金具１３の一端が接続されるようになっており、電線圧着部１７Ｂには電線Ｗが接続されている。
【００２２】
雌コネクタハウジング４０は、合成樹脂製であって、図１０及び図１６に示すように、ハウジング本体部４１と、ハウジング係合部５１とを備えている。ハウジング本体部４１は、図４及び図１６に示すように、左右方向に横長な角柱状をしており、前後方向に貫通したキャビティ４３が複数並んで設けられている。キャビティ４３内には、雌端子金具１７が後方から挿入可能となっている。また、ハウジング本体部４１の下面から各キャビティ４３に連通してリテーナ装着穴４５が設けられている。そして、リテーナ装着穴４５にリテーナ４７が装着されることで、キャビティ４３内に収容された雌端子金具１７が係止される。
【００２３】
ハウジング係合部５１は、図１０及び図１６に示すように、ハウジング本体部４１と一体に設けられており、ハウジング本体部４１の後端部から上方に横長の角柱状に突出している。ハウジング係合部５１の上下方向の寸法は、ハウジング本体部４１の上下方向の寸法とほぼ同じで、ハウジング係合部５１の前後方向の寸法は、ハウジング本体部４１の前後方向の寸法の４分の１程度となっている。ハウジング係合部５１の両端部には、断面視矩形状の係合部５３が前後方向に貫通している。係合部５３は、ハウジング係合部５１の幅方向の両端部に一対設けられている。また、係合部５３は、図９及び図１０に示すように、前部分５３Ａが後部分５３Ｂよりも幅方向外側に大きくなっており、後部分５３Ｂの前端面が段差面５５となっている。
【００２４】
一括ゴム栓６０は、耐油性のゴムなどの弾性材料でできており、図４及び図１２に示すように、複数の電線Ｗと内側フード部２３の内周面の間をシールする。一括ゴム栓６０は、内側フード部２３の開口部２３Ａの内周形状と同じ外周形状となっており、正面視オーバル状で、上下方向が短い端軸方向となっている。一括ゴム栓６０の外周面には、複数条の外周リップ部６１が設けられており、内側フード部２３の内周面によって潰されることで内側フード部２３と密着するようになっている。
【００２５】
一括ゴム栓６０には、電線Ｗを挿通する電線挿通孔６３が複数前後方向に貫通するように設けられている。電線挿通孔６３の内周面には、内周リップ部６５が複数条に亘って設けられており、電線Ｗの外周面に密着するようになっている。また、一括ゴム栓６０には、後記する突出部８０を挿通するための挿通孔６７が２つ設けられている。挿通孔６７は、断面視円形で前後方向に貫通しており、後記する突出部８０の突出本体部８１の外径と同じ内径となっており、内周面にリップが設けられて突出本体部８１と密着する。
【００２６】
リアホルダ７０は、合成樹脂製であって、図１３及び図１６に示すように、ホルダ本体部７１と、ロックアーム７５と、突出部８０とを備えている。ホルダ本体部７１は、内側フード部２３内に内嵌され、一括ゴム栓６０と同じ外形形状となっている。また、ホルダ本体部７１の前後方向の寸法は、一括ゴム栓６０の前後方向の寸法と同じとなっている。また、ホルダ本体部７１には、雌端子金具１７を挿通可能な端子挿通孔７３が設けられている。
【００２７】
ロックアーム７５は、図３及び図１４に示すように、ホルダ本体部７１の後端部から上下方向に突出する基端部７５Ａと、基端部７５Ａの上下端部から前方に突出する腕部７５Ｂとを備えている。ロックアーム７５の幅方向の寸法は、内側フード部２３の切欠き部２７の幅方向の内寸法とほぼ同じであり、ロックアーム７５の基端部７５Ａが切欠き部２７内に収容される。また、ロックアーム７５の腕部７５Ｂが内側フード部２３の上下面と重なるようになっている。そして、基端部７５Ａと腕部７５Ｂの中央部分には、係合孔７７が設けられている。この係合孔７７の前方孔縁部７７Ａが係合突起２５に係止する。
【００２８】
突出部８０は、図１５及び図１６に示すように、ホルダ本体部７１の前面から前方に向かって一対突出している。突出部８０は、ホルダ本体部７１の上端部（端子挿通孔７３よりも上方）の幅方向の両端部に設けられている。そして、突出部８０は、突出本体部８１と、係合爪８３とを備えている。突出本体部８１は、円柱状をしており、突出本体部８１の前後方向の寸法は、一括ゴム栓６０の前後方向の寸法と同じである。
【００２９】
係合爪８３は、図９及び図１３に示すように、突出本体部８１の前端面より前方に突出しており、角柱部分８３Ａと、角柱部分８３Ａの先端部に設けられた爪部８３Ｂとを有している。爪部８３Ｂは、角柱部分８３Ａから幅方向外側に突出するように設けられている。係合爪８３の角柱部分８３Ａは、突出本体部８１よりも細くなっており、弾性変形可能になっている。また、係合爪８３の角柱部分８３Ａの前後方向の寸法は、ハウジング係合部５１の係合部５３の後部分５３Ｂの前後方向の寸法とほぼ同じになっており、係合爪８３の爪部８３Ｂの前後方向の寸法は、ハウジング係合部５１の係合部５３の前部分５３Ａの前後方向の寸法とほぼ同じになっている。そして、爪部８３Ｂの後端面が、係合部５３内の段差面５５と当接することで、係合爪８３が雌コネクタハウジング４０の係合部５３に係合している。
【００３０】
次に、コネクタ１０の組み立て手順の一例について説明する。
まず、中継コネクタ１１を組み立てる。図４及び図１６に示すように、中継端子金具１３を埋め込むようにして中継コネクタハウジング２０を成形する。そして、外側フード部２１の凹部２１Ａにポッティング剤を注入して凝固させる。また、嵌合部３１の外周面にゴムリング３３を装着する。
【００３１】
一方で、図９及び図１６に示すように、雌コネクタ１５を組み立てる。リアホルダ７０の突出部８０を一括ゴム栓６０の挿通孔６７に後方から挿通して一括ゴム栓６０をリアホルダ７０に固定する。この際に、突出本体部８１の外周面が挿通孔６７の内周面に密着する。そして、係合爪８３をハウジング係合部５１に設けられた係合部５３に挿通する。係合爪８３の爪部８３Ｂが係合部５３の段差面５５内に引っかかって、リアホルダ７０と雌コネクタハウジング４０とが固定される。
【００３２】
次に、図４及び図１７に示すように、雌端子金具１７を雌コネクタハウジング４０に挿入する。まず、雌端子金具１７の電線圧着部１７Ｂに電線Ｗを圧着して接続する。そして、リアホルダ７０の後方から、雌端子金具１７を端子挿通孔７３に挿通する。この際に、リアホルダ７０のホルダ本体部７１が一括ゴム栓６０と同じ程度の前後方向の寸法を有していることから、雌端子金具１７が端子挿通孔７３を挿通する間に端子挿通孔７３の内周面と接触することで雌端子金具１７が位置決めされる。
【００３３】
そして、位置決めされた雌端子金具１７を一括ゴム栓６０の電線挿通孔６３に挿通させる。この際に、雌端子金具１７が位置決めされていることから、一括ゴム栓６０の電線挿通孔６３に正規の姿勢で挿入することができ、電線挿通孔６３の内周面を傷つけることが抑制される。そして、電線挿通孔６３を挿通した雌端子金具１７が雌コネクタハウジング４０のキャビティ４３内に挿入される。そして、リテーナ４７を装着して雌端子金具１７を係止する。このように雌端子金具１７がキャビティ４３内の正規位置まで挿入されると、電線挿通孔６３の内周リップ部６５が電線Ｗの外周面に密着する。
【００３４】
そして、図４と図１８に示すように、雌コネクタ１５を中継コネクタ１１と嵌合させる。雌コネクタ１５を内側フード部２３の開口部２３Ａの後方から挿入し、雌コネクタハウジング４０のハウジング係合部５１の前端面が内側フード部２３の内面に突き当たる位置まで押し込む。この際に、リアホルダ７０のロックアーム７５が上下方向に広がるように弾性変形して係合突起２５を乗り越えて復元変形する。そして、ロックアーム７５の係合孔７７に係合突起２５が嵌まる。
【００３５】
雌コネクタ１５と中継コネクタ１１が正規位置で嵌合されると、雌端子金具１７と中継端子金具１３が接続される。また、一括ゴム栓６０の外周リップ部６１が内側フード部２３の内周面に密着する。そして、リアホルダ７０のホルダ本体部７１が内側フード部２３に内嵌して、係合突起２５にロックアーム７５が係止していることで、雌コネクタ１５が中継コネクタ１１に抜け止めされる。
【００３６】
そして、雌コネクタ１５が嵌合された中継コネクタ１１を機器のケースＣに取り付ける。中継コネクタ１１の後側（雌コネクタ１５が嵌合された側）をケースＣの取付孔Ｃ１に挿入して、嵌合部３１を取付孔Ｃ１に内嵌させ、ゴムリング３３が取付孔Ｃ１の内周面に密着してシールされる。なお、雌コネクタ１５には、フード部が設けられておらず、ロックアーム７５も内側フード部２３の短軸側に突出した係合突起２５に係合するようになっていることから、取付孔Ｃ１に挿入される部分（内側フード部２３及び雌コネクタ１５）の外形寸法が小さくでき、取付孔Ｃ１の内径を小さくすることができる。
【００３７】
以上のように、本実施形態では、リアホルダ７０の突出部８０の突出本体部８１を一括ゴム栓６０の挿通孔６７に挿通して、突出部８０の係合爪８３を雌コネクタハウジング４０の係合部５３に係合することで、雌コネクタ１５を一体化している。つまり、雌コネクタ１５の雌コネクタハウジング４０と一括ゴム栓６０とリアホルダ７０を予め組み合わせた状態で、中継コネクタ１１に嵌合することができ、別々にフード部内に配置するのに比べて作業が容易になる。
【００３８】
そして、雌コネクタ１５が中継コネクタ１１と嵌合すると、雌コネクタ１５の雌コネクタハウジング４０が中継コネクタ１１の内側フード部２３内に収容されて、雌コネクタハウジング４０の後方側を一括ゴム栓６０でシールし、リアホルダ７０が雌コネクタハウジング４０と一括ゴム栓６０を抜け止めしている。そのため、一括ゴム栓６０によって内側フード部２３の雌コネクタハウジング４０側へ異物の侵入を防止することができるため、端子金具１３、１７間の短絡を防止することができる。
【００３９】
また、背面視オーバル状の内側フード部２３の外面に短軸方向（上下方向）に突出するように設けられた係合突起２５にリアホルダ７０のロックアーム７５が係合している。そのため、ロックアーム７５が内側フード部２３に重ねられることで、外径寸法を大きくなることを抑制できる。また、リアホルダ７０のロックアーム７５が内側フード２３部の外面に突出した係合突起２５に係合することでリアホルダ７０が取り付けられているため、中継コネクタ１１の内側フード部２３に係止用の孔を設けておらず、一括ゴム栓６０によるシールが確保しやすくなる。さらに、一般的な防水コネクタと異なり、フード部の上にフード部を重ねあわせていないため、幅方向（径方向）に大きくなることを抑制できる。
【００４０】
＜他の実施形態＞
本明細書で開示される技術は上記記述及び図面によって説明した実施形態に限定されるものではなく、例えば次のような実施形態も技術的範囲に含まれる。
（１）上記実施形態では、中継コネクタ１１は機器のケースＣに取り付けられて２つのコネクタを中継するコネクタであったが、一般的なワイヤーハーネスなどの端末に取り付けられるコネクタであっても良い。
【００４１】
（２）上記実施形態では、中継コネクタ１１に雄端子である中継端子１３が収容され、雌コネクタ１５に雌端子金具１７が収容されていたが、中継コネクタに雌端子金具が収容されていても良い。
【００４２】
（３）上記実施形態では、リアホルダ７０のリアホルダ本体部７１は、一括ゴム栓６０と同じ程度の板厚をもって内側フード部２３内に内嵌されていたが、薄板状で内側フード部の外側を覆うように配されていても良い。
【００４３】
（４）上記実施形態では、一括ゴム栓６０は、複数の雌端子金具１７に接続された複数の電線Ｗを一括して内側フード部２３との間をシールしていたが、端子金具を一組として、一本の電線Ｗと内側フード部２３との間をシールするようにしても良い。
【００４４】
（５）上記実施形態では、雌コネクタハウジング４０の係合部５３に段差面５５を設けてそこに突出部８０の係合爪８３を係合したが、段差を設けずに係合部５３の孔縁に係合しても良い。
（６）上記実施形態では、リアホルダ７０の突出部８０を一括ゴム栓６０の挿通孔に挿通して、突出部８０の係合爪８３を雌コネクタハウジング４０の係合部５３に係合することで、リアホルダ７０と一括ゴム栓６０と雌コネクタハウジング４０を一体化して中継コネクタ１１に嵌合したが、別体のままそれぞれ中継コネクタ１１に嵌合しても良い。
【符号の説明】
【００４５】
１０…コネクタ
１１…中継コネクタ（第１コネクタ）
１３…中継端子金具（第１端子金具）
１５…雌コネクタ（第２コネクタ）
１７…雌端子金具（第２端子金具）
２０…中継コネクタハウジング（第１コネクタハウジング）
２３…内側フード部（フード部）
２３Ａ…開口部
２３Ｂ…両側面
２３Ｃ…上下面
２５…係合突起
３１…嵌合部
３１Ａ…嵌合凹部
４０…雌コネクタハウジング（第２コネクタハウジング）
４１…ハウジング本体部
５１…ハウジング係合部
５３…係合部
５５…段差面
６０…一括ゴム栓（ゴム栓）
６１…外周リップ部
６３…電線挿通孔
６５…内周リップ部
６７…挿通孔
７０…リアホルダ（ホルダ）
７１…ホルダ本体部
７３…端子挿通孔
７５…ロックアーム
７７…係合孔
８０…突出部
８１…突出本体部
８３…係合爪
Ｃ…ケース
Ｗ…電線
【図１】
0006604512.tif 000002
【図２】
0006604512.tif 000003
【図３】
0006604512.tif 000004
【図４】
0006604512.tif 000005
【図５】
0006604512.tif 000006
【図６】
0006604512.tif 000007
【図７】
0006604512.tif 000008
【図８】
0006604512.tif 000009
【図９】
0006604512.tif 000010
【図１０】
0006604512.tif 000011
【図１１】
0006604512.tif 000012
【図１２】
0006604512.tif 000013
【図１３】
0006604512.tif 000014
【図１４】
0006604512.tif 000015
【図１５】
0006604512.tif 000016
【図１６】
0006604512.tif 000017
【図１７】
0006604512.tif 000018
【図１８】
0006604512.tif 000019